(57)【要約】【課題】外キャビネットの左右の側板の変形を防いで内キャビネットのスムーズな昇降動を実現することができる昇降式吊戸棚を提供すること。【解決手段】前面が開放可能で下方が開口した固定式の外キャビネット２と、前面が開口した可動式の内キャビネット３を備え、前記内キャビネット３を前記外キャビネット２に対して昇降可能に支持して成る昇降式吊戸棚１において、外キャビネット２の左右の側板２ａの前面側下部同士を横長の操作ユニット８によって連結固定する。具体的には、外キャビネット３の左右の側板３ａの下部内面にＬ字型金具をそれぞれ取り付け、該Ｌ字型金具に、操作ユニット８の左右両端背面に設けられたブラケット１１をこれに形成された左右方向に長い長孔に挿通するネジによって固定する。【選択図】図３
2010252886.tif 000002
【特許請求の範囲】
【請求項１】
前面が開放可能で下方が開口した固定式の外キャビネットと、前面が開口した可動式の内キャビネットを備え、前記内キャビネットを前記外キャビネットに対して昇降可能に支持して成る昇降式吊戸棚において、
前記外キャビネットの左右の側板の前面側下部同士を横長の操作ユニットによって連結固定したことを特徴とする昇降式吊戸棚。
【請求項２】
前記外キャビネットの左右の側板の下部内面にＬ型金具をそれぞれ取り付け、該Ｌ型金具に、前記操作ユニットの左右両端背面に設けられたブラケットをこれに形成された左右方向に長い長孔に挿通するネジによって固定したことを特徴とする請求項１記載の昇降式吊戸棚。
【発明の詳細な説明】
【技術分野】
【０００１】
本発明は、固定式の外キャビネットに対して可動式の内キャビネットを昇降可能とした昇降式吊戸棚に関するものである。
【背景技術】
【０００２】
キッチンのシンクや調理台、ガス台等の上方には、吊戸棚が天井又は壁面に吊り下げ固定されているが、この固定式の吊戸棚はキッチンに立つユーザーの目線の位置（アイレベル）よりも高い位置に設置されているため、これへの台所用品や食器類等の出し入れが容易でなく、使用頻度の低い物しか収納しないことが多く、利便性に欠けるという問題があった。
【０００３】
そこで、昇降式吊戸棚が提案され、既に実用に供されている（例えば、特許文献１，２参照）。この昇降式吊戸棚は、下方が開口した固定式の外キャビネットと前面が開口した可動式の内キャビネットを備え、内キャビネットを昇降動可能として不使用時にはこれを外キャビネット内に収納し、食器類等を出し入れする際には電動によって内キャビネットをユーザーのアイレベルまで降ろすようにしたものである。このため、ユーザーはアイレベルまで降りた内キャビネットに対して台所用品や食器類等を作業性良く容易に出し入れすることができ、出し入れ作業が終了すると内キャビネットを上昇させて外キャビネット内に収納することができる。
【先行技術文献】
【特許文献】
【０００４】
【特許文献１】特開２００３−００９９６１号公報
【特許文献２】特開２００２−２１９０２６号公報
【発明の概要】
【発明が解決しようとする課題】
【０００５】
ところで、昇降式吊戸棚はこれに隣接する他の吊戸棚とビスによって横連結される。具体的には、図５に示す外キャビネット１０２の左右の側板１０２ａが他の吊戸棚の左右の側板にビスによって取り付けられるが、外キャビネット１０２の前面と下面は開口しており、前面は前扉１０４によって開放可能に構成されているため、左右の側板１０２ａは撓み変形し易い。このため、他の吊戸棚との連結によって外キャビネット１０２の例えば左右の側板１０２ａに図示矢印方向（外向き）の力Ｆが作用した場合には、左右の側板１０２ａが同方向（外側）に開いてしまい、その内面に垂直に取り付けられたガイドレール１０７に負荷が掛かってこれが変形し、該ガイドレール１０７に沿う不図示の内キャビネットの昇降動がスムーズになされなくなる等の問題が発生する。
【０００６】
本発明は上記問題に鑑みてなされたもので、その目的とする処は、外キャビネットの左右の側板の変形を防いで内キャビネットのスムーズな昇降動を実現することができる昇降式吊戸棚を提供することにある。
【課題を解決するための手段】
【０００７】
上記目的を達成するため、請求項１記載の発明は、前面が開放可能で下方が開口した固定式の外キャビネットと、前面が開口した可動式の内キャビネットを備え、前記内キャビネットを前記外キャビネットに対して昇降可能に支持して成る昇降式吊戸棚において、前記外キャビネットの左右の側板の前面側下部同士を横長の操作ユニットによって連結固定したことを特徴とする。
【０００８】
請求項２記載の発明は、請求項１記載の発明において、前記外キャビネットの左右の側板の下部内面にＬ型金具をそれぞれ取り付け、該Ｌ型金具に、前記操作ユニットの左右両端背面に設けられたブラケットをこれに形成された左右方向に長い長孔に挿通するネジによって固定したことを特徴とする。
【発明の効果】
【０００９】
請求項１記載の発明によれば、外キャビネットの左右の側板の前面側下部同士を横長の操作ユニットによって連結固定したため、当該摺動式吊戸棚をこれに隣接する他の吊戸棚に横連結しても外キャビネットの左右の側板の左右方向の変形が操作ユニットによって防がれる。このため、該外キャビネットの左右の側板内面に垂直に取り付けられたガイドレールの変形が防がれ、該ガイドレール沿う内キャビネットの昇降動がスムーズになされる。又、このような効果は既存の操作ユニットを共用することによって得られるため、部品点数及びコストアップを伴うことがない。
【００１０】
請求項２記載の発明によれば、外キャビネットの左右の側板の下部内面に取り付けられたＬ型金具に、操作ユニットの左右両端背面に設けられたブラケットをネジによって固定することによって、外キャビネットの左右の側板の前面側下部同士が操作ユニットによって連結されてそれらの変形が防がれる。又、ブラケットに左右方向に長い長孔を形成し、該長孔に挿通するネジによってブラケットをＬ型金具に固定するようにしたため、長孔内をビスが左右方向に移動し得る範囲で外キャビネットの左右の側板間の距離を微調整することができ、側板間の距離を正規の値に保って内キャビネットのスムーズな昇降動を実現することができる。
【図面の簡単な説明】
【００１１】
【図１】本発明に係る昇降式吊戸棚の内キャビネットが収納された状態を示す斜視図である。
【図２】本発明に係る昇降式吊戸棚の内キャビネットを下降させた状態を示す斜視図である。
【図３】本発明に係る昇降式吊戸棚の内キャビネットを下降させるとともに、外キャビネットの前面を開放した状態を示す斜視図である。
【図４】本発明に係る昇降式吊戸棚の操作ユニットの連結構造を示す図３のＡ部拡大詳細図である。
【図５】従来の昇降式吊戸棚の外キャビネットの斜視図である。
【発明を実施するための形態】
【００１２】
以下に本発明の実施の形態を添付図面に基づいて説明する。
【００１３】
図１は本発明に係る昇降式吊戸棚の内キャビネットが収納された状態を示す斜視図、図２は同昇降式吊戸棚の内キャビネットを下降させた状態を示す斜視図、図３は同昇降式吊戸棚の内キャビネットを下降させるとともに、外キャビネットの前面を開放した状態を示す斜視図、図４は操作ユニットの連結構造を示す図３のＡ部拡大詳細図である。
【００１４】
図１〜図３に示す本発明に係る昇降式吊戸棚１は、キッチンのシンクや調理台、ガス台等（何れも不図示）の上方に設置されるものであって、天井或いは壁面に固定される矩形箱状の外キャビネット２と、該外キャビネット２に対して昇降動可能な矩形箱状の内キャビネット３を備えている。
【００１５】
上記外キャビネット２は木製であって、その下方は内キャビネット３が通過し得るように開口している。又、外キャビネット２の前面は開口しており、この開口部は図３に示すように前扉４を手前側に開くことによって開放される。尚、図示しないが、外キャビネット２内の上部には内キャビネット３を電動によって自動で昇降動させるための昇降機構が設けられており、この昇降機構は、駆動源である電動モータ、該電動モータの回転をプーリに伝達するギヤ、プーリに巻き掛けられた左右一対のベルト５（図３及び図４参照）等によって構成されている。そして、左右のベルト５の端部には内キャビネット３が金具６を介して吊り下げられており、該内キャビネット３は、外キャビネット２の左右の側板２ａの内面に垂直に固定されたガイドレール７（図３及び図４には一方のみ図示）に沿って昇降し、その内部に収容された食器類等の不図示の収納物を出し入れする際には図２及び図３に示すように下降して外キャビネット２の下方に露出し、それ以外のときには上昇して図１に示すように外キャビネット２内に収納されている。尚、本実施の形態では、外キャビネット２を木製としたが、外キャビネット２の材質には他の任意のものを選定し得る。
【００１６】
又、外キャビネット２の前面下端には全幅に亘って操作ユニット８が手前側に向かって突設されており、この操作ユニット８の前面の一端（右端）には、電源のＯＮ／ＯＦＦボタン（例えば、照明のボタン等）、昇降ボタン等が配設された操作部９が設けられている。
【００１７】
従って、本実施の形態では、外キャビネット２の左右の側板２ａの前面側下部同士は横長の操作ユニット８によって連結固定されている。ここで、外キャビネット２の左右の側板２ａの下部内面には図４に示すようにＬ型金具１０（図４には一方のみ図示）がそれぞれ取り付けられており、該Ｌ型金具１０には、操作ユニット８の左右両端背面に設けられた立設されたブラケット１１が上下２本のネジ１２によってそれぞれ固定されている。この場合、Ｌ型金具１０の上下には円孔状のネジ孔１０ａが形成され、ブラケット１１の上下には左右方向に長い長孔１１ａが形成されており、ブラケット１１は、これに形成された長孔１１ａに前方から挿通する前記ネジ１２をＬ型金具１０に形成されたネジ孔１０ａにねじ込むことによってＬ型金具１０に固定され、これによって操作ユニット８の左右両端が外キャビネット２の左右の側板２ａの前面側下部に取り付けられている。
【００１８】
他方、内キャビネット３は樹脂製であって、その前面が開口しており、その左右の側板３ａの前端縁における高さ方向中間部の一部（後述の後退部）３Ａは側面視くの字状に後退している。ここで、側面くの字状の後退部３Ａは、そのくの字の谷が各側板３ａの高さ方向中央部に位置するように形成されており、左右の側板３ａの高さ方向略中央間には棚板１３が水平に架設されている。即ち、棚板１３は、左右の側板３ａの後退部３Ａの谷の部分、つまり側板３ａの奥行き幅が最小の部位の近くに配設されているため、奥行き幅は従来のもののそれよりは狭くなっている。因に、従来の棚板は側板の幅寸法と同等の大きな奥行き幅を有している。尚、左右の側板３ａには剛性を高めるためのビード３ｂが形成されている。又、本実施の形態では、内キャビネット３を樹脂製としたが、内キャビネット３の材質には他の任意のものを選定し得る。
【００１９】
ところで、図３に示すように、棚板１３の手前側の下部には左右一対の２つのハンガー１４が左右方向にスライド可能に支持されており、これらのハンガー１４には例えばロール状の不図示キッチンペーパーが回転可能に支持される。
【００２０】
又、図２に示すように、内キャビネット３の底面は手前側に引き出すことができる３つの水受けトレイ１５で構成されており、各水受けトレイ１５上には針金によって格子状に形成された水切り１６が設置されている。ここで、水受けトレイ１５と水切り１６の奥行き幅は棚板１３のそれよりも広く設定されている。
【００２１】
而して、内キャビネット３内の棚板１３や水切り１６上には食器類等の不図示の収納物が載置されて収納されるが、前述のように内キャビネット３は外キャビネット２の左右の側板２ａの内面に固設された左右一対のガイドレール７に沿って昇降動可能に支持されている。
【００２２】
ところで、内キャビネット３に対して食器類等を出し入れしない場合、つまり内キャビネット３の不使用時には、該内キャビネット３は図１に示すように外キャビネット２内に収納されている。このように不使用時には内キャビネット３が外キャビネット２内に収納されて外部に露出しないため、内キャビネット３によって外観が阻害されたり、内キャビネット３が作業の邪魔になるという不具合が発生することがない。
【００２３】
そして、内キャビネット３に対して食器類等を出し入れする際には、外キャビネット２の前面下端に突設された操作ユニット８の操作部９を操作して不図示の昇降機構を駆動し、ベルト５を送り出すと内キャビネット３は外キャビネット２側に設けられたガイドレール７に沿って下降する。すると、内キャビネット３は図２及び図３に示すように外キャビネット２から下方へ完全に引き出され、これがユーザーのアイレベルまで降りた時点で昇降機構の駆動が停止され、内キャビネット３は図示位置に停止してその前面が開口される。
【００２４】
上述のように内キャビネット３がユーザーのアイレベルまで降りてその前面が開口すると、ユーザーは内キャビネット３に対して食器類等の収納物を出し入れすることができるが、本実施の形態では、内キャビネット３の左右の側板３ａの前端縁の高さ方向中間部の一部（本実施の形態では高さ方向中央部）を側面視くの字状に後退させたため、その後退部３Ａを介して収納物を横方向からでも見ることができるとともに、ユーザーが正面に立たなくても内キャビネット３に対して収納物の出し入れを横方向からでも作業性良く容易に行うことができる。このため、ユーザーはシンクやガス台等から離れることなく、現在行っている作業を継続しながら収納物の出し入れを行うことができ、調理等の作業効率が高められる。
【００２５】
そして、内キャビネット３に対する収納物の出し入れが終了すると、操作部９を操作して不図示の昇降機構を駆動すれば、ベルト５が巻き取られて内キャビネット３が外キャビネット２側に設けられたガイドレール７に沿って上昇し、図１に示すように内キャビネット３が外キャビネット２内に収容される。
【００２６】
而して、本実施の形態に係る昇降式吊戸棚１によれば、外キャビネット２の左右の側板２ａの前面側下部同士を横長の操作ユニット８によって連結固定したため、当該摺動式吊戸棚１をこれに隣接する他の吊戸棚に横連結しても外キャビネット２の左右の側板２ａの左右方向の変形が操作ユニット８によって防がれる。このため、外キャビネット２の左右の側板２ａの内面に垂直に取り付けられたガイドレール７が過負荷によって変形することがなく、該ガイドレール７に沿う内キャビネット３の昇降動がスムーズになされる。そして、このような効果は既存の操作ユニット８を共用することによって得られるため、部品点数及びコストアップを伴うことがない。
【００２７】
又、本実施の形態では、外キャビネット２の左右の側板２ａの下部内面に取り付けられたＬ型金具１０に、操作ユニット８の左右両端背面に設けられたブラケット１１をネジ１２によって固定することによって、外キャビネット２の左右の側板２ａの前面側下部同士が操作ユニット８によって連結されてそれらの変形が防がれる。そして、この場合、ブラケット１１に左右方向に長い長孔１１ａを形成し、該長孔１１ａに挿通するネジ１２によってブラケット１１をＬ型金具１０に固定するようにしたため、長孔１１ａ内をビス１２が左右方向に移動し得る範囲で外キャビネット２の左右の側板２ａ間の距離を微調整することができ、側板２ａ間の距離を正規の値に保って内キャビネット３のスムーズな昇降動が実現される。
【符号の説明】
【００２８】
１        昇降式吊戸棚
２        外キャビネット
２ａ      外キャビネットの側板
３        内キャビネット
３Ａ      内キャビネットの後退部
３ａ      内キャビネットの側板
３ｂ      内キャビネットのビード
４        前扉
５        ベルト
６        金具
７        ガイドレール
８        操作ユニット
９        操作部
１０      Ｌ型金型
１０ａ    Ｌ型金型のネジ孔
１１      ブラケット
１１ａ    ブラケットの長孔
１２      ネジ
１３      棚板
１４      ハンガー
１５      水受けトレイ
１６      水切り
【図１】
2010252886.tif 000003
【図２】
2010252886.tif 000004
【図３】
2010252886.tif 000005
【図４】
2010252886.tif 000006
【図５】
2010252886.tif 000007